【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】  把握部分と、
上部及び下部を備えたボディ、並びに外科的装置をハンドルに固定するための引き込み自在のスライダーピンを有するハンドルロック組立体と
を含み、
ロック組立体ボディが前記外科的装置を挿入するための前記ボディ中に配置された開口部を含み、前記開口部が前記ボディの前記上部から前記下部に延び、引き込み自在の前記スライダーピンはピンが前記開口部に突き出る延長位置から前記ピンが前記開口部から取り出される引き込んだ位置まで移動可能であることを特徴とする少なくとも一つの外科的装置をリリース自在に取り付けるためのハンドル。
【請求項２】  前記ロック組立体が前記スライダーピンに連結されたハンドルスライダーを更に含む請求項１記載のハンドル。
【請求項３】  引き込み自在の前記スライダーピンを前記延長位置から前記引き込んだ位置まで移動させるための前記スライダーピンに機能し得る形で連結された少なくとも一つのハンドルリリースを更に含む請求項１記載のハンドル。
【請求項４】  前記ロック組立体が引き込み自在の前記スライダーピンを前記延長位置に向かってバイアスするための少なくとも一つのバイアス部材を更に含む請求項１記載のハンドル。
【請求項５】  少なくとも一つの前記バイアス部材がらせんばねである請求項４記載のハンドル。
【請求項６】  前記ハンドルスライダーが少なくとも一つの前記バイアス部材を保持するためのくぼみを更に含む請求項２記載のハンドル。
【請求項７】  前記ロック組立体が溶接により前記把握部分に取り付けられる請求項１記載のハンドル。
【請求項８】  前記把握部分が中空である請求項１記載のハンドル。
【請求項９】  少なくとも一つの前記外科的装置が引き込み自在の前記スライダーピンと係合するためのくぼみを有する請求項１記載のハンドル。
【請求項１０】  前記開口部が円形である請求項１記載のハンドル。
【請求項１１】  前記ボディが前記ハンドルロック組立体と前記把握部分の間に遷移部分を更に含む請求項１記載のハンドル。
【請求項１２】  前記把握部分が前記ボディの前記上部の平面から傾斜して変位される請求項１記載のハンドル。
【請求項１３】  傾斜変位が約３０度である請求項１２記載のハンドル。
【請求項１４】  引き込み自在の前記スライダーピンが少なくとも一つの前記ハンドルリリースを操作することにより移動可能である請求項１記載のハンドル。
【請求項１５】  把握部分及びハンドルロック組立体を有するハンドルと、
引き込み自在のスライダーピンと係合するためのくぼみを有するカニューレと
を含み、
前記ロック組立体は、上部及び下部を備えたボディ、及び引き込み自在の前記スライダーピンを有することを特徴とする外科処置遂行用システム。
【請求項１６】  前記カニューレが少なくとも一つの付加的な外科的装置を前記ハンドルに固定するためのくぼみを更に含む請求項１５記載のシステム。
【請求項１７】  少なくとも一つの付加的な前記外科的装置が軟組織牽引子である請求項１５記載のシステム。
【請求項１８】  前記カニューレがボディ部分及びヘッド部分を有し、前記ボディ部分及びヘッド部分が大きさの異なる直径のものである請求項１５記載のハンドル。
【請求項１９】  前記カニューレが前記ボディ部分及びヘッド部分の間に傾斜連絡部を有する請求項１８記載のハンドル。
【請求項２０】  前記カニューレを把握し、回転させるために前記カニューレに連結されたノブを更に含む請求項１５記載のハンドル。
【請求項２１】  前記カニューレ中にある際の外科的装置の回転を防止するために前記カニューレに挿入される前記外科的装置に用意された少なくとも一つのタブの相手となり、係合するための前記ノブ中の少なくとも一つのみぞを更に含む請求項２０記載のハンドル。
【請求項２２】  少なくとも一つの前記タブを備えた前記外科的装置が栓子である請求項２１記載のハンドル。
【請求項２３】  少なくとも一つの前記タブを備えた前記外科的装置がドリルガイドである請求項２１記載のハンドル。
【請求項２４】  前記ハンドルロック組立体が前記カニューレを挿入するための前記上部から前記下部に延びる前記ボディ中に配置された開口部を含み、引き込み自在の前記スライダーピンが前記ピンが前記開口部に突き出て前記カニューレの前記くぼみと係合する延長位置から前記ピンが前記くぼみから取り出される位置まで移動可能である請求項１５記載のシステム。
【請求項２５】  把握部分及びハンドルロック組立体を有するハンドルと、
ハンドルリリースを動かすことにより前記ハンドルからリリース自在に取り外し可能な少なくとも一つの外科的装置とを含み、
前記ロック組立体は通路を備えたボディ及び移動可能な前記ハンドルリリースを有し、
少なくとも一つの前記外科的装置がくぼみを更に含み、前記ハンドルロック組立体ボディが引き込み自在のピンを更に含み、前記ピンが前記外科的装置を前記ハンドルに固定するために前記くぼみの相手となるのに適した形状にされてることを特徴とする外科処置遂行用システム。  
【請求項２６】  少なくとも一つの前記外科的装置が少なくとも一つの付加的な外科的装置を固定するためのくぼみを更に含む請求項２５記載のシステム。
【請求項２７】  （ａ）ハンドルを用意し、該ハンドルは把握部分及びロック組立体を有し、前記ロック組立体は上部及び下部を備えたボディ、引き込み自在のスライダーピン、及び前記ボディ中に配置され外科的装置が前記ハンドルに固定するために挿入される通路を有し、引き込み自在の前記スライダーピンは前記ピンが前記通路に突き出る延長位置から前記ピンが前記通路から取り出される引き込んだ位置まで移動可能であり、
（ｂ）引き込み自在の前記ピンを前記ロック組立体中の前記延長位置から前記引き込んだ位置まで引き込み、それにより前記ピンを前記通路から取り出し、そして
（ｃ）第一外科的装置を前記ハンドルから除去することを特徴とする外科処置中に外科的装置を交換する方法。
【請求項２８】  引き込み自在の前記スライダーピンと係合するのに適した形状にされたくぼみを有する第二の異なる装置を前記ハンドルの前記通路に挿入することを更に含む請求項２７記載の方法。
【請求項２９】  引き込み自在の前記ピンを前記くぼみの一つに係合することにより前記第二の装置をハンドルにロックすることを更に含む請求項２８記載の方法。
【請求項３０】  前記スライダーピンを使用者により前記通路から前記引き込んだ位置まで取り出し、引き込み自在の前記スライダーピンと係合するのに適した形状にされたくぼみを有する第二の異なる装置を前記通路に挿入し、その後に前記スライダーピンを前記第二の装置中の前記くぼみの一つに係合することを更に含む請求項２７記載の方法。
【請求項３１】  前記第二の異なる装置を回転させて前記くぼみ及び前記スライダーピンを整列させ、その後に引き込み自在の前記ピンを前記くぼみの一つに係合することを更に含む請求項２９記載の方法。
【請求項３２】  引き込み自在の前記スライダーピンと係合するのに適した形状にされたくぼみを有する第二の異なる外科的装置を用意し、
前記第二の装置を前記ハンドルに挿入し、
引き込み自在の前記ピンを前記くぼみの一つに係合することにより前記第二の装置を前記ハンドルにロックし、
引き込み自在の前記ピンを前記ロック組立体中で前記延長位置から前記引き込んだ位置まで引っ込め、それにより前記ピンを前記通路から取り出し、そして
前記第二の装置を前記ハンドルから除去することを更に含む請求項２７記載の方法。
【請求項３３】  前記スライダーピンを使用者により前記通路から前記引き込んだ位置まで取り出し、前記外科的装置を前記通路に挿入し、その後に前記スライダーピンが前記外科的装置中の前記くぼみと係合して前記カニューレを前記ハンドルにロックすることを更に含む請求項３２記載の方法。
【請求項３４】  前記第二の外科的装置を回転させて前記くぼみ及び前記スライダーピンを整列させ、その後に引き込み自在の前記ピンを前記くぼみの一つに係合することを更に含む請求項３２記載の方法。
【請求項３５】  少なくとも一つの前記外科的装置が前記スライダーピンの相手となって前記カニューレを前記ハンドルに固定するのに適した形状にされた前記くぼみを有する前記カニューレである請求項２８記載の方法。